(57)【特許請求の範囲】
【請求項１】
回転軸と、該回転軸上に設けられ、回転軸と一体に回転可能とされたフリクションリングと、フリクションリング上に設けられ、ウェッブを巻取る巻芯を保持する複数のコアホルダとを備え、
前記回転軸が、加圧空気をコアホルダに導く導入孔を備え、
前記コアホルダが、前記フリクションリング上を周方向に摺動可能に設けられた内輪と、
該内輪上に設けられ、かつ開口部が形成された外輪と、
該外輪の開口部内に、回転軸に対して接近あるいは離間する方向に変位可能に挿入されたボスと、
該ボスに着脱自在に取り付けられ、最も回転軸に対して離間したときに巻芯内面を係止し、かつ最も接近したときに巻芯を係止しないようにされた保持爪と、
前記内輪と外輪との間に設けられ、前記回転軸の導入孔の内圧に応じて前記ボスを回転軸に対して接近あるいは離間する方向に変位させるボス変位手段とを備えた巻取軸において、
前記ボスが磁石で形成され、かつ前記保持爪が磁性体で形成されていることを特徴とする巻取軸。
【請求項２】
前記保持爪の端部は、前記開口部における前記外輪の外面上に位置するように形成されていることを特徴とする請求項１に記載の巻取軸。
【請求項３】
前記保持爪の幅は、前記ボスの幅より大きいことを特徴とする請求項１または２に記載の巻取軸。
【発明の詳細な説明】
【０００１】
【発明の属する技術分野】
本発明は、紙やフィルム等のウェッブを、紙管、鉄管、プラスチック管などの巻芯（以下、コアということがある）上に巻き取る巻取軸に関し、特に、巻芯を巻取り軸に保持するための保持爪の取り付け、取り外しが容易で、しかも保持爪取り付けのためにネジ等が不要である巻取軸に関する。
【０００２】
【従来の技術】
従来、紙やフィルム等のウェッブを紙管などのコア上に巻取るためには、巻取軸が多く用いられている。この巻取軸は、コア内に配され、コアを内面から保持した状態でコアを回転させることができるようになっている。
この種の巻取軸の一種に、一定のピッチに分割された個別フリクション式の巻取軸があり、特に２軸のスリッター等に使用されている。このような巻取軸は、回転軸上に、フリクショントルクを各コアに伝達するためのコアホルダが一定のピッチで複数個設けられたもので、あらゆるコア巾に対応できるようになっている。また、この巻取軸は、巻取りに必要なコアの回転速度、即ち巻取り中におけるコアホルダの回転数よりも速い回転数で回転軸を駆動した場合、使用したピッチ分のコアに一定のフリクショントルクを与える構造となっている。
【０００３】
図２は、フリクショントルクをコアに伝達するためのコアホルダを備えた巻取軸の一例を２ピッチ分にわたり示すものである。ここに示す巻取軸３０は、回転軸２と、回転軸２上に設けられ、回転軸２と一体に回転可能とされたフリクションリング３と、フリクションリング３上に設けられ、ウェッブを巻取るコアを保持する複数のコアホルダ１４とを備え、回転軸２が、加圧空気をコアホルダ１４に導く導入孔１を備え、コアホルダ１４が、フリクションリング３上を周方向に摺動可能に設けられた内輪５と、内輪５上に設けられ、かつ開口部６ａが形成された外輪６と、外輪６の開口部６ａ内に、回転軸２に対して接近あるいは離間する方向に変位可能に挿入されたボス２０と、ボス２０に着脱自在に取り付けられ、最も回転軸２に対して離間したときにコア内面を係止し、かつ最も接近したときにコアを係止しないようにされた保持爪１９と、内輪５と外輪６との間に設けられ、回転軸２の導入孔１の内圧に応じてボス２０を回転軸２に対して接近あるいは離間する方向に変位させるチューブ８とを備えて構成されている。
【０００４】
回転軸２の導入孔１は、加圧空気供給源（図示略）から供給された加圧空気をコアホルダ１４に導くためのもので、回転軸２内に、軸方向に沿って設けられた主孔１ａと、主孔１ａから枝分かれし、コアホルダ１４に至る複数の副孔１ｂとからなるものである。
フリクションリング３は、回転軸２上に、軸方向に沿って複数設けられた筒状体であり、筒状の主部３ａと、この主部３ａの外周面から軸方向に対し垂直に突出形成された突出部３ａとからなるものである。これらフリクションリング３は、回転軸２の導入孔１を塞がない位置に配置されている。
【０００５】
内輪５は、隣接するフリクションリング３同士の間に、その軸方向両端がフリクションリング３の突出部３ａに達するように設けられた環状体である。内輪５の上面には、凹部５ｂが形成され、この凹部５ｂ内には開口部５ａが形成されている。この開口部５ａは、回転軸２の導入孔１内の加圧空気を凹部５ｂ内に導入するためのものである。
外輪６は、その上面に凹部６ｂを備えた環状体であり、この凹部６ｂ内には上記ボス２０が挿通する矩形状の開口部６ａが形成されている。
【０００６】
ボス２０は、外輪６の開口部６ａに挿通可能な直方体状のものである。
前記内輪５と外輪６との間には、合成樹脂、ゴムなどの軟質部材で形成されたボス変位手段である膜状のチューブ８が設けられている。このチューブ８は、ボス２０を回転軸２に対して接近あるいは離間する方向に変位させるためのもので、その周縁部は内輪５の開口部５ａを囲んで内輪５に気密に固定されており、中央部は導入孔１の内圧に応じて回転軸２に対して接近あるいは離間する方向に変位可能とされている。また、チューブ８の上面側には、チューブ８を回転軸芯方向に押圧する板バネ７が設けられている。
【０００７】
この例の巻取軸３０では、保持爪１９が、ボス２０上面に取付ネジ１１で取り付けられており、取付ネジ１１を取り外すことによってボス２０から取り外しすることができるようになっている。
【０００８】
上記のような巻取軸３０を用いてウェッブをコア上に巻取りする際には、巻取軸３０をコア内に挿入した状態で、加圧空気供給装置（図示略）から導入孔１を通してチューブ８の下側に加圧空気を送り込み、チューブ８の中央部を、板バネ７の弾性力に抗して回転軸２から離間する方向に移動させ、ボス２０および保持爪１９を該方向に押し上げて保持爪１９をコアに圧接させ、コアを保持させる。この状態で回転軸２を回転させ、保持爪１９によって保持されたコアを回転させる。コアの回転によって、コア上にウェッブが巻取られる。
【０００９】
この際、ウェッブ巻取り速度より高速で回転軸２を回転させ、コアホルダ１４をフリクションリング３上でスリップさせながらウェッブ巻取りを行うようにする。上記ウェッブは、このとき発生するフリクショントルクによって常時引っ張られた状態でコア上に巻取られる。
【００１０】
上記構成の巻取軸３０に紙管などのコアを装着する際には、巻取り巾によっては、保持爪１９の一部のみがコアの端部にかかってしまう場合がある。その場合には、コアの端部が保持爪１９によって損傷し、この損傷部分からコアの一部が分離し、分離した部分がウェッブに付着してしまうことがある。これを避けるために、その一部がコア端部にかかる保持爪１９をコアホルダ１４から取り外すことが行われている。
【００１１】
また、巻取軸３０の保持爪１９は、回転軸２上に軸方向に間隔をおいて設けられているため、例えば互いに同じ巾の複数のコアを回転軸２上に軸方向に並べて配し、それぞれのコアにスリットされたウェッブを巻取る場合、これらコアに対する保持爪１９の相対位置が、各々のコアにおいて同一とならず、その結果、それぞれのコアを保持する保持爪１９の数が互いに同数とならないことがある。このようにそれぞれのコアを保持する保持爪１９の数に差があると、それぞれのコアに加わるトルクに差が生じることがある。
【００１２】
このため、複数のコアを用いる場合には、それぞれのコアを保持する保持爪１９の数を揃えるために保持爪１９の一部をコアホルダ１４から取り外すことがある。また、巻取るフィルム、紙によっては、低いトルクでの巻取りをしなければ変形してしまうものもあるため、必要に応じて保持爪１９を取り外し、トータルトルクを下げて巻取る方法を実施することがある。したがって、保持爪１９は、取り外しが容易なことが望ましい。これに対し、上記従来の保持爪１９は、ボス２０に取付ネジ１１で取り付けられているため、保持爪１９の取り外しの際には、取付ネジ１１をドライバなどの工具で緩めて取り外した後、保持爪１９を取り外す必要がある。また、ウェッブ巻取り作業終了後、次回の巻取りのため取り外しした保持爪１９を取付ネジ１１にて取り付けする必要がある。
【００１３】
【発明が解決しようとする課題】
しかしながら、上記従来技術では、上記保持爪１９のつけ外し作業に多大な手間および時間がかかっていた。また繰り返して取付ネジ１１のつけ外しを行うと、取付ネジ１１がドライバなどの工具によって損傷して取り外し不能となることがあった。また、取り外した取付ネジ１１が紛失するおそれがあり、また紛失した取付ネジ１１がウェッブの巻取り製品に混入するおそれがあった。
本発明は、上記事情に鑑みてなされたもので、コアを巻取り軸に保持するための保持爪の取り付け、取り外しが容易で、しかも保持爪取り付けのためにネジ等が不要である巻取軸を提供することを目的とする。
【００１４】
【課題を解決するための手段】
本発明の巻取軸は、回転軸と、該回転軸上に設けられ、回転軸と一体に回転可能とされたフリクションリングと、フリクションリング上に設けられ、ウェッブを巻取る巻芯を保持する複数のコアホルダとを備え、前記回転軸が、加圧空気をコアホルダに導く導入孔を備え、前記コアホルダが、前記フリクションリング上を周方向に摺動可能に設けられた内輪と、該内輪上に設けられ、かつ開口部が形成された外輪と、該外輪の開口部内に、回転軸に対して接近あるいは離間する方向に変位可能に挿入されたボスと、該ボスに着脱自在に取り付けられ、最も回転軸に対して離間したときに巻芯内面を係止し、かつ最も接近したときに巻芯を係止しないようにされた保持爪と、前記内輪と外輪との間に設けられ、前記回転軸の導入孔の内圧に応じて前記ボスを回転軸に対して接近あるいは離間する方向に変位させるボス変位手段とを備え、前記ボスが磁石で形成され、かつ前記保持爪が磁性体で形成されていることを特徴とする。
前記保持爪の端部は、前記開口部における前記外輪の外面上に位置するように形成されていることが好ましい。
前記保持爪の幅は、前記ボスの幅より大きいことが好ましい。
【００１５】
【発明の実施の形態】
図１は本発明の巻取軸の一実施形態を示すものである。なお、本実施形態の説明において、図２に示す従来例との共通部分については、同一符号を付してその説明を省略または簡略化する。
ここに示す巻取軸４０は、回転軸２と、回転軸２上に設けられ、回転軸２と一体に回転可能とされたフリクションリング３と、フリクションリング３上に設けられ、ウェッブを巻取るコアを保持する複数のコアホルダ４とを備え、回転軸２が、加圧空気をコアホルダ４に導く導入孔１を備え、コアホルダ４が、フリクションリング３上を周方向に摺動可能に設けられた内輪５と、内輪５上に設けられ、かつ開口部６ａが形成された外輪６と、外輪６の開口部６ａ内に、回転軸２に対して接近あるいは離間する方向に変位可能に挿入されたボス１０と、ボス１０に着脱自在に取り付けられ、最も回転軸２に対して離間したときにコア内面を係止し、かつ最も接近したときにコアを係止しないようにされた保持爪９と、内輪５と外輪６との間に設けられ、回転軸２の導入孔１の内圧に応じてボス１０を回転軸２に対して接近あるいは離間する方向に変位させるチューブ８とを備えて構成されている。
【００１６】
本実施形態の巻取軸４０が、図２に示す従来の巻取軸３０と異なるのは、ボス１０がフェライト等からなる磁石で形成され、かつ保持爪９が鉄、ニッケル等の磁性体で形成され、保持爪９がボス１０に、取付ネジ等によらず、磁力で付着している点である。
【００１７】
この巻取軸４０を用いてウェッブ巻取りを行う際に、巻取軸４０の複数の保持爪９のうち一部を取り外す場合には、取り外すべき保持爪９をボス１０から引き離すようにする。また、取り外した保持爪９を再びボス１０に取り付けるためには、保持爪９をボス１０に当接させて付着させる。
【００１８】
上記構成の巻取軸４０にあっては、ボス１０が磁石で形成され、かつ保持爪９が磁性体で形成された構成としたので、保持爪９をボス１０に対して取り付け、取り外しするのが容易となる。また保持爪９をボス１０に取り付けるためのネジ等が不要となる。
【００１９】
【発明の効果】
以上説明したように、本発明の巻取軸にあっては、ボスが磁石で形成され、かつ保持爪が磁性体で形成された構成としたので、保持爪をボスに対して取り付け、取り外しするのが容易となる。また保持爪をボスに取り付けるためのネジ等が不要となる。
【図面の簡単な説明】
【図１】  本発明の巻取軸の一実施形態を示す要部断面図である。
【図２】  従来の巻取軸の一例を示す断面図である。
【符号の説明】
１・・・導入孔
２・・・回転軸
３・・・フリクションリング
４・・・コアホルダ
５・・・内輪
６・・・外輪
８・・・チューブ（ボス変位手段）
９・・・保持爪
１０・・・ボス
４０・・・巻取軸
【図１】
0003836194.tif 000002
【図２】
0003836194.tif 000003